(57)【要約】【課題】予め工場製作した外装材付き壁パネルと胴縁付き壁パネルを現場で組み立てて建物を構築する場合において、簡易かつ確実に防水できる壁パネルの接合構造を提供する。【解決手段】外装材付き壁パネル１と胴縁付き壁パネル２とが互いに水平方向に連続するようにして接合された壁パネルの接合構造であって、外装材付き壁パネル１の防水シート１２がその側端部がその壁パネル１１の側端部から延出するように壁パネル１１に取り付けられており、胴縁付き壁パネル２の胴縁１３がその端部が外装材付き壁パネル１の防水シート１２の側端部から引っ込むようにその壁パネル１１に取り付けられており、この外装材付き壁パネル１の防水シート１２の裏面と胴縁付き壁パネル２の防水シート１２の表面が両面防水テープ１５により互いに接着されている。【選択図】  図１
2004263381.tif 000002
【特許請求の範囲】
【請求項１】
矩形形状の壁パネルの表面に、予め防水シートと防水シートの上から胴縁と胴縁の上から外装材とが取り付けられた外装材付き壁パネルと、矩形形状の壁パネルの表面に、予め防水シートと防水シートの上から胴縁とが取り付けられた胴縁付き壁パネルとが互いに水平方向に連続するようにして接合された壁パネルの接合構造であって、
前記外装材付き壁パネルの防水シートがその側端部がその壁パネルの側端部から延出するように該壁パネルに取り付けられており、前記胴縁付き壁パネルの胴縁がその端部が前記外装材付き壁パネルの防水シートの側端部から引っ込むようにその壁パネルに取り付けられており、この外装材付き壁パネルの防水シートの裏面と胴縁付き壁パネルの防水シートの表面が両面防水テープにより互いに接着されていることを特徴とする壁パネルの接合構造。
【請求項２】
前記胴縁付き壁パネルの胴縁の側端部とその壁パネルの側端部の間において、縦胴縁が前記互いに接着されている両防水シートの少なくともいずれか一方の上からその壁パネルに取り付けられていることを特徴とする請求項１に記載の壁パネルの接合構造。
【請求項３】
矩形形状の壁パネルの表面に、予め防水シートと防水シートの上から胴縁と胴縁の上から外装材とが取り付けられた外装材付き壁パネルと、矩形形状の壁パネルの表面に、予め防水シートと防水シートの上から胴縁とが取り付けられた胴縁付き壁パネルとが互いに直交する方向に突き合わされて接合された壁パネルの接合構造であって、
入隅部において、前記外装材付き壁パネルの防水シートがその側端部が入隅から延出するようにその壁パネルに取り付けられており、かつ、前記胴縁付き壁パネルの胴縁がその端部が前記外装材付き壁パネルの防水シートの側端部から引っ込むようにその壁パネルに取り付けられており、この外装材付き壁パネルの防水シートの裏面と胴縁付き壁パネルの防水シートの表面が両面防水テープにより互いに接着されていることを特徴とする壁パネルの接合構造。
【請求項４】
前記胴縁付き壁パネルの胴縁の側端部と前記入隅の間において、縦胴縁が前記互いに接着されている両防水シートの少なくともいずれか一方の上からその壁パネルに取り付けられていることを特徴とする請求項３に記載の壁パネルの接合構造。
【請求項５】
矩形形状の壁パネルの表面に、予め防水シートと防水シートの上から胴縁と胴縁の上から外装材とが取り付けられた外装材付き壁パネルと、矩形形状の壁パネルの表面に、予め防水シートと防水シートの上から胴縁とが取り付けられた胴縁付き壁パネルとが互いに直交する方向に突き合わされて接合された壁パネルの接合構造であって、
出隅部において、前記外装材付き壁パネルの防水シートがその側端部が出隅から延出するようにその壁パネルに取り付けられており、かつ、前記胴縁付き壁パネルの胴縁がその端部が前記外装材付き壁パネルの防水シートの側端部から引っ込むようにその壁パネルに取り付けられており、この外装材付き壁パネルの防水シートの裏面と胴縁付き壁パネルの防水シートの表面が両面防水テープにより互いに接着されていることを特徴とする壁パネルの接合構造。
【発明の詳細な説明】
【０００１】
【発明の属する技術分野】
本発明は、予め工場で外装材が取り付けられた外装材付き壁パネルと、予め工場で胴縁が取り付けられた胴縁付き壁パネルを現場で組み立てて建物を構築する場合に用いられる壁パネルの接合構造に関する。
【０００２】
【背景の技術】
従来の壁パネルの接合構造としては、例えば矩形形状の壁パネルの表面に、予め防水シートと防水シートの上から胴縁と胴縁の上から外装材とが取り付けられた外装材付き壁パネルどうしを接合する壁パネルの接合構造であって、防水シートどうしの取合いに対して十分な幅寸法をもつ防水テープを上側から接着してなるものが開示されている（例えば、特許文献１参照）。
【０００３】
ここで、胴縁の端部は、十分な幅寸法をもつ防水テープの上側からの接着に支障を来さないように壁パネルの側端部から引っ込んだところに位置させている。
【０００４】
このような壁パネルの接合構造によれば、防水シートどうしの接合部において十分な幅寸法をもつ防水テープを上側から接着することとしているので、予め工場で外装材が取り付けられない壁パネルどうしを現場で組み立てて建物を構築する場合において、優れた防水性能を有する建物が短期間で安価に得られることになる。
【０００５】
【特許文献１】
特開平７−１５８１８１号公報
【０００６】
【発明が解決しようとする課題】
しかしながら、このような壁パネルの接合構造では、十分な幅寸法をもつ防水テープを上側から接着することとしているので、予め外装材が取り付けられない壁パネルどうしを接合する場合に適用できても、予め外装材が取り付けられた外装材付き壁パネルと予め胴縁が取り付けられた胴縁付き壁パネルを接合する場合には、事実上適用できないという問題がある。
【０００７】
すなわち、胴縁であれば、防水テープの接着に支障を来さないよう胴縁の端部を壁パネルの側端部から引っ込んだ位置に取り付けることが可能であるが、外装材では、両外装材により形成される目地に対してシール材による防水が必要となり、壁パネルの側端部から引っ込んだ位置に取り付けることが不可能である。そして、外装材の側端部がほぼ壁パネルの側端部の位置に取り付けられる以上、十分な幅寸法をもつ防水テープを上側から接着できないことになる。
【０００８】
そこで、本発明の課題は、予め工場製作した外装材付き壁パネルと胴縁付き壁パネルを現場で組み立てて建物を構築する場合において、簡易かつ確実に防水することが可能となる壁パネルの接合構造を提供することにある。
【０００９】
【課題を解決するための手段】
上記課題を解決するため、請求項１に記載の発明は、例えば図１に示すように、矩形形状の壁パネル１１の表面に、予め防水シート１２と防水シート１２の上から胴縁１３と胴縁１３の上から外装材１４とが取り付けられた外装材付き壁パネル１と、矩形形状の壁パネル１１の表面に、予め防水シート１２と防水シート１２の上から胴縁１３とが取り付けられた胴縁付き壁パネル２とが互いに水平方向に連続するようにして接合された壁パネルの接合構造であって、外装材付き壁パネル１の防水シート１２がその側端部がその壁パネル１１の側端部から延出するように壁パネル１１に取り付けられており、胴縁付き壁パネル２の胴縁１３がその端部が外装材付き壁パネル１の防水シート１２の側端部から引っ込むようにその壁パネル１１に取り付けられており、この外装材付き壁パネル１の防水シート１２の裏面と胴縁付き壁パネル２の防水シート１２の表面が両面防水テープ１５により互いに接着されていることを特徴としている。
【００１０】
請求項１に記載の発明によれば、外装材付き壁パネル１の防水シート１２を胴縁付き壁パネル２の防水シート１２側に延出させて、両防水シート１２を両面防水テープ１５で互いに接着することとしているので、予め工場製作した外装材付き壁パネル１と胴縁付き壁パネル２を現場で組み立てて建物を構築する場合において、簡易かつ確実に防水することが可能となる。したがって、優れた防水性能を有する建物が短期間で安価に得られることになる。
【００１１】
また、請求項２に記載の発明は、例えば図１に示すように、請求項１に記載の壁パネルの接合構造において、胴縁付き壁パネル２の胴縁１３の側端部とその壁パネル１１の側端部の間において、縦胴縁１６が互いに接着されている両防水シート１２の少なくともいずれか一方の上からその壁パネル１１に取り付けられていることを特徴としている。
【００１２】
請求項２に記載の発明によれば、胴縁１３の端部を外装材付き壁パネル１の防水シート１２の側端部から引っ込めて設けた場合でも、縦胴縁１６によって外装材１４の端部が支持されることになるので、安定した外装材１４の支持状態が得られることになる。また、縦胴縁１６によって両面防水テープ１５で接着した箇所又はその近傍が押さえつけられるので、接着箇所が剥がれるような不測の事態を回避することが可能となり、さらに優れた防水性能を有する建物が得られることになる。
【００１３】
一方、請求項３に記載の発明は、例えば図２に示すように、矩形形状の壁パネル１１の表面に、予め防水シート１２と防水シート１２の上から胴縁１３と胴縁１３の上から外装材１４とが取り付けられた外装材付き壁パネル１と、矩形形状の壁パネル１１の表面に、予め防水シート１２と防水シート１２の上から胴縁１３とが取り付けられた胴縁付き壁パネル２とが互いに直交する方向に突き合わされて接合された壁パネルの接合構造であって、入隅部２１において、外装材付き壁パネル１の防水シート１２がその側端部が入隅２１ａから延出するようにその壁パネル１１に取り付けられており、かつ、胴縁付き壁パネル２の胴縁１３がその端部が外装材付き壁パネル１の防水シート１２の側端部から引っ込むようにその壁パネル１１に取り付けられており、この外装材付き壁パネル１の防水シート１２の裏面と胴縁付き壁パネル２の防水シート１２の表面が両面防水テープ１５により互いに接着されていることを特徴としている。
【００１４】
請求項３に記載の発明によれば、外装材付き壁パネル１の防水シート１２を胴縁付き壁パネル２の防水シート１２側に延出させて、両防水シート１２を両面防水テープ１５で互いに接着することとしているので、予め工場製作した外装材付き壁パネル１と胴縁付き壁パネル２を組み立てて現場で建物を構築する場合において、簡易かつ確実に防水することが可能となる。したがって、優れた防水性能を有する建物が短期間で安価に得られることになる。
【００１５】
また、請求項４に記載の発明は、例えば図２に示すように、請求項３に記載の壁パネルの接合構造において、胴縁付き壁パネル２の胴縁１３の側端部と入隅２１ａの間において、縦胴縁１６が互いに接着されている両防水シート１２の少なくともいずれか一方の上からその壁パネル１１に取り付けられていることを特徴としている。
【００１６】
請求項４に記載の発明によれば、胴縁１３の端部を外装材付き壁パネル１の防水シート１２の側端部から引っ込めて設けた場合でも、縦胴縁１６によって外装材１４の端部が支持されることになるので、安定した外装材１４の支持状態が得られることになる。
また、縦胴縁１６によって両面防水テープ１５で接着した箇所又はその近傍が押さえつけられるので、接着箇所が剥がれるような不測の事態を回避することが可能となり、さらに優れた防水性能を有する建物が得られることになる。
【００１７】
他方、請求項５に記載の発明は、例えば図３に示すように、矩形形状の壁パネル１１の表面に、予め防水シート１２と防水シート１２の上から胴縁１３と胴縁１３の上から外装材１４とが取り付けられた外装材付き壁パネル１と、矩形形状の壁パネル１１の表面に、予め防水シート１２と防水シート１２の上から胴縁１３とが取り付けられた胴縁付き壁パネル２とが互いに直交する方向に突き合わされて接合された壁パネルの接合構造であって、出隅部３１において、外装材付き壁パネル１の防水シート１２がその側端部が出隅３１ａから延出するようにその壁パネル１１に取り付けられており、かつ、胴縁付き壁パネル２の胴縁１３がその端部が外装材付き壁パネル１の防水シート１２の側端部から引っ込むようにその壁パネル１１に取り付けられており、この外装材付き壁パネル１の防水シート１２の裏面と胴縁付き壁パネル２の防水シート１２の表面が両面防水テープ１５により互いに接着されていることを特徴としている。
【００１８】
請求項５に記載の発明によれば、外装材付き壁パネル１の防水シート１２を胴縁付き壁パネル２の防水シート１２側に延出させて、両防水シート１２を両面防水テープ１５で互いに接着することとしているので、予め工場製作した外装材付き壁パネル１と胴縁付き壁パネル２を現場で組み立てて建物を構築する場合において、簡易かつ確実に防水することが可能となる。したがって、優れた防水性能を有する建物が短期間で安価に得られることになる。
【００１９】
【発明の実施の形態】
以下、添付図面に基づいて本発明の実施の形態を詳細に説明する。
【００２０】
◎実施の形態１
［水平接合部における壁パネルの接合構造］
図１は本発明の実施の形態１に係る壁パネルの接合構造の全体構成を示す断面図である。
【００２１】
この実施の形態１において、壁パネルの接合構造は、同図に示すように、予め工場製作段階において外装材１４を取り付けている外装材付き壁パネル１と、予め工場製作段階において外装材１４を取り付けていないが胴縁１３を取り付けている胴縁付き壁パネル２とを互いに水平方向に連続するようにして接合する場合に適用されるものとして構成されている。
【００２２】
以下、外装材付き壁パネル１の構造、胴縁付き壁パネル２の構造、壁パネルの接合構造の順に詳細に説明する。
【００２３】
（１）外装材付き壁パネル１の構造
外装材付き壁パネル１は、パネル工法により構築される建物たる住宅における外周壁を構成する部材として構成されている。
【００２４】
なお、パネル工法は、壁や床、屋根といった建物の構成部材を予め工場製作段階において基本となる平面寸法を用いてパネル化しておき、現場施工段階においてこれらのパネルを組み立てるという工法である。
この実施の形態１において、外装材付き壁パネル１は、工場製作段階において製作されるものであり、同図に示すように、矩形形状の壁パネル１１の表面に、予め防水シート１２と防水シート１２の上から胴縁１３と胴縁１３の上から外装材１４とが取り付けられている。
【００２５】
具体的には、壁パネル１１は、同図に示すように、縦横の框材１１ａにより矩形の枠状に組み立てられた矩形枠（図示外）の内部に補助桟材（図示外）を縦横に組み付けるとともに、框材１１ａ及び補助桟材の両側に面材１１ｂを接着してなるものとして構成されている。
【００２６】
また、防水シート１２は、壁パネル１１の室外側における面材１１ｂの上においてその側端部が壁パネル１１の側端部から例えば６０ｍｍ延出するようにして、壁パネル１１に取り付けられている（同図参照）。
【００２７】
ここで、このような防水シート１２としては、例えば水を透過しないが水蒸気を透過するミクロボアを有するシートであるタイベック（商品名：デュポン社製）等の防水透湿シートが用いられている。
【００２８】
これにより、外気側において高温側から低温側への透湿性が確保されることになり、その結果、内部結露が有効に防止されることになっている。
【００２９】
さらに、胴縁１３は、所謂横胴縁１３であって、防水シート１２の上において縦方向に所定間隔で、かつ、その側端部が壁パネル１１の側端部から例えば１０ｍｍ引っ込むようにして、壁パネル１１に取り付けられている（同図参照）。
【００３０】
さらにまた、外装材１４は、板材であり、胴縁１３の上においてその側端部が壁パネル１１の側端部に位置するようにして、壁パネル１１に取り付けられている（同図参照）。
【００３１】
このような外装材１４としては、例えば軽量気泡コンクリート等の無機質系の材料からなり、室外側の表面において化粧目地等（図示外）が施されるものが用いられている。
【００３２】
（２）胴縁付き壁パネル２の構造
胴縁付き壁パネル２は、外装材付き壁パネル１と同様、パネル工法により構築される住宅における外周壁を構成する部材として構成されている。
この実施の形態１において、胴縁付き壁パネル２は、工場製作段階において製作されるものであり、同図に示すように、矩形形状の壁パネル１１の表面に、予め防水シート１２と防水シート１２の上から胴縁１３とが取り付けられているものとして構成されている。
【００３３】
また、防水シート１２は、同図に示すように、壁パネル１１の室外側における面材１１ｂの上においてその側端部が壁パネル１１の側端部に位置するようにして、壁パネル１１に取り付けられている。
【００３４】
さらに、胴縁１３は、所謂横胴縁１３であって、防水シート１２の上において縦方向に所定間隔で、かつ、その端部が防水シート１２の側端部から引っ込むようにして、壁パネル１１に取り付けられている（同図参照）。
【００３５】
具体的には、胴縁１３は、その端部が壁パネル１１の側端部から例えば２００ｍｍ引っ込むようにして、壁パネル１１に取り付けられている（同図参照）。
【００３６】
（３）外装材付き壁パネル１と胴縁付き壁パネル２の接合構造
この実施の形態１に係る外装材付き壁パネル１と胴縁付き壁パネル２の接合構造としては、両防水シート１２の取り合いにおいては、外装材付き壁パネル１の防水シート１２の裏面と胴縁付き壁パネル２の防水シート１２の表面が両面防水テープ１５により互いに接着されているものとして構成されている（同図参照）。
【００３７】
ここで、胴縁付き壁パネル２の胴縁１３の側端部とその壁パネル１１の側端部の間において、縦胴縁１６が、互いに接着されている両防水シート１２の少なくともいずれか一方の上からその壁パネル１１に取り付けられている。
【００３８】
これにより、胴縁１３の端部を外装材付き壁パネル１の防水シート１２の側端部から引っ込めて設けた場合でも、縦胴縁１６によって外装材１４の端部が支持されることになり、その結果、安定した外装材１４の支持状態が得られることになっている。また、縦胴縁１６によって両面防水テープ１５で接着した箇所又はその近傍が押さえつけられることになっているので、接着箇所が剥がれるような不測の事態を回避することが可能となっており、その結果、さらに優れた防水性能を有する建物が得られることになっている。
【００３９】
なお、両壁パネル１１の取り合いにおいては、締結ボルトにより両外装材付き壁パネル１の框材１１ａどうしを締結する構造になっている。
【００４０】
すなわち、このような壁パネルの接合構造によれば、外装材付き壁パネル１の防水シート１２を胴縁付き壁パネル２の防水シート１２側に延出させて、両防水シート１２を両面防水テープ１５で互いに接着することとしているので、予め工場製作した外装材付き壁パネル１と胴縁付き壁パネル２を現場で組み立てて建物を構築する場合において、簡易かつ確実に防水することが可能となっている。
【００４１】
したがって、このような壁パネルの接合構造によれば、優れた防水性能を有する建物が短期間で安価に得られることになっている。
【００４２】
［水平接合部における壁パネル１１の接合方法］
次に、図１を用いて、この実施の形態１に係る外装材付き壁パネル１と胴縁付き壁パネル２の接合方法について説明する。
【００４３】
まず、工場において、壁パネル１１の構築、面材１１ｂの上への防水シート１２の貼設、防水シート１２の上への胴縁１３の取り付け、胴縁１３の上への外装材１４の貼設が行われることにより、外装材付き壁パネル１と胴縁付き壁パネル２とが製作される（同図参照）。
【００４４】
このとき、両面防水テープ１５の一方の面における粘着部は、外装材付き壁パネル１の防水シート１２の側端部の裏面に接着しておき、他方の面における粘着部においては、剥離可能である離型紙（図示外）を取り付けておく（同図参照）。
【００４５】
そして、施工現場において、ボルト及びナット１８を用いて両框材１１ａどうしが締結されることにより、外装材付き壁パネル１と胴縁付き壁パネル２とが強固に接合される（同図参照）。
【００４６】
次に、外装材付き壁パネル１の防水シート１２の側端部に接着された両面防水テープ１５の離型紙を剥がし、剥がした粘着部を胴縁付き壁パネル２の側端部の表面に対して水密に接着する。
【００４７】
すると、両防水シート１２の取合部分において切れ目なく水密性が確保された帯状の接着部が連続的に形成されることとなる。
【００４８】
続いて、胴縁付き壁パネル２の胴縁１３の側端部と胴縁付き壁パネル２の壁パネル１１の側端部の間において、縦胴縁１６が、互いに接着されている両防水シート１２の上から釘打ち固定され、壁パネル１１に取り付けられる（同図参照）。
【００４９】
すると、接着部が、縦胴縁１６によって押さえ付けられることになり（同図参照）、これにより、この実施の形態１に係る外装材付き壁パネル１と胴縁付き壁パネル２の接合方法が終了する。
【００５０】
◎実施の形態２
［入隅部２１における壁パネルの接合構造］
図２は本発明の実施の形態２に係る壁パネルの接合構造の全体構成を示す断面図である。なお、実施の形態１と同様な構成要素については実施の形態１と同様な符号を付してここではその詳細な説明を省略する。
【００５１】
この実施の形態２に係る壁パネルの接合構造は、同図に示すように、予め工場製作段階において外装材１４を取り付けている外装材付き壁パネル１と予め工場製作段階において外装材１４を取り付けていないが胴縁１３を取り付けている胴縁付き壁パネル２との接合構造である点で、実施の形態１とほぼ同様であるが、実施の形態１と異なり、外装材付き壁パネル１と胴縁付き壁パネル２とを互いに直交する方向に突き合わせて接合する場合における入隅部２１に適用されるものとして構成されている。
【００５２】
以下、外装材付き壁パネル１の構造、胴縁付き壁パネル２の構造、壁パネルの接合構造の順に詳細に説明する。
【００５３】
（１）外装材付き壁パネル１の構造
外装材付き壁パネル１は、実施の形態１と同様、パネル工法により構築される住宅における外周壁を構成する部材として構成されている。
この実施の形態２において、外装材付き壁パネル１は、工場製作段階において製作されるものであり、同図に示すように、矩形形状の壁パネル１１の表面に、予め防水シート１２と防水シート１２の上から胴縁１３と胴縁１３の上から外装材１４とが取り付けられている。
【００５４】
また、防水シート１２は、同図に示すように、壁パネル１１の室外側における面材１１ｂの上においてその側端部が入隅２１ａから延出するようにして、壁パネル１１に取り付けられている。
【００５５】
さらに、胴縁１３は、所謂横胴縁１３であって、防水シート１２の上において縦方向に所定間隔で、かつ、その側端部が入隅２１ａから引っ込むようにして、壁パネル１１に取り付けられている（同図参照）。
【００５６】
さらにまた、外装材１４は、同図に示すように、板材であり、胴縁１３の上においてその側端部が入隅２１ａから引っ込むようにして、壁パネル１１に取り付けられている。
【００５７】
（２）胴縁付き壁パネル２の構造
胴縁付き壁パネル２は、実施の形態１と同様、パネル工法により構築される住宅における外周壁を構成する部材として構成されている。
この実施の形態２において、胴縁付き壁パネル２は、工場製作段階において製作されるものであり、同図に示すように、矩形形状の壁パネル１１の表面に、予め防水シート１２と防水シート１２の上から胴縁１３とが取り付けられている。
【００５８】
また、防水シート１２は、同図に示すように、壁パネル１１の室外側における面材１１ｂの上においてその側端部が壁パネル１１の側端部に位置するようにして、壁パネル１１に取り付けられている。
【００５９】
さらに、胴縁１３は、所謂横胴縁１３であって、防水シート１２の上において縦方向に所定間隔で、かつ、その端部が外装材付き壁パネル１の防水シート１２の側端部から引っ込むようにして、壁パネル１１に取り付けられている（同図参照）。
【００６０】
（３）外装材付き壁パネル１と胴縁付き壁パネル２の接合構造
この実施の形態１に係る外装材付き壁パネル１と胴縁付き壁パネル２の接合構造としては、両防水シート１２の取り合いにおいては、外装材付き壁パネル１の防水シート１２の裏面と胴縁付き壁パネル２の防水シート１２の表面が両面防水テープ１５により互いに接着されている（同図参照）。
【００６１】
これにより、胴縁１３の端部を外装材付き壁パネル１の防水シート１２の側端部から引っ込めて設けた場合でも、縦胴縁１６によって外装材１４の端部が支持されることになり、その結果、安定した外装材１４の支持状態が得られることになっている。また、縦胴縁１６によって両面防水テープ１５で接着した箇所又はその近傍が押さえつけられることになっているので、接着箇所が剥がれるような不測の事態を回避することが可能となっており、その結果、さらに優れた防水性能を有する建物が得られることになっている。
【００６２】
すなわち、このような壁パネルの接合構造によれば、外装材付き壁パネル１の防水シート１２を胴縁付き壁パネル２の防水シート１２側に延出させて、両防水シート１２を両面防水テープ１５で互いに接着することとしているので、予め工場製作した外装材付き壁パネル１と胴縁付き壁パネル２を組み立てて現場で建物を構築する場合において、簡易かつ確実に防水することが可能となっている。したがって、優れた防水性能を有する建物が短期間で安価に得られることになっている。
【００６３】
◎実施の形態３
［出隅部３１における壁パネルの接合構造］
図３は本発明の実施の形態３に係る壁パネルの接合構造の全体構成を示す断面図である。なお、実施の形態１と同様な構成要素については実施の形態１と同様な符号を付してここではその詳細な説明を省略する。
【００６４】
この実施の形態３に係る壁パネルの接合構造は、同図に示すように、予め工場製作段階において外装材１４を取り付けている外装材付き壁パネル１と予め工場製作段階において外装材１４を取り付けていないが胴縁１３を取り付けている胴縁付き壁パネル２との接合構造である点で、実施の形態１とほぼ同様であるが、実施の形態１と異なり、外装材付き壁パネル１と胴縁付き壁パネル２とを互いに直交する方向に突き合わせて接合する場合における出隅部３１に適用されるものとして構成されている。
【００６５】
以下、外装材付き壁パネル１の構造、胴縁付き壁パネル２の構造、壁パネルの接合構造の順に詳細に説明する。
【００６６】
（１）外装材付き壁パネル１の構造
外装材付き壁パネル１は、実施の形態１と同様、パネル工法により構築される住宅における外周壁を構成する部材として構成されている。
この実施の形態３において、外装材付き壁パネル１は、工場製作段階において製作されるものであり、同図に示すように、矩形形状の壁パネル１１の表面に、予め防水シート１２と防水シート１２の上から胴縁１３と胴縁１３の上から外装材１４とが取り付けられている。
【００６７】
また、防水シート１２は、同図に示すように、壁パネル１１の室外側における面材１１ｂの上においてその側端部が出隅３１ａから延出するようにして、壁パネル１１に取り付けられている。
【００６８】
さらに、胴縁１３は、所謂横胴縁１３であって、防水シート１２の上において縦方向に所定間隔で、かつ、その側端部が出隅３１ａに位置するようにして、壁パネル１１に取り付けられている（同図参照）。
【００６９】
さらにまた、外装材１４は、同図に示すように、板材であり、胴縁１３の上においてその側端部が出隅３１ａから引っ込むようにして、壁パネル１１に取り付けられている。
【００７０】
（２）胴縁付き壁パネル２の構造
胴縁付き壁パネル２は、実施の形態１と同様、パネル工法により構築される住宅における外周壁を構成する部材として構成されている。
この実施の形態２において、胴縁付き壁パネル２は、工場製作段階において製作されるものであり、同図に示すように、矩形形状の壁パネル１１の表面に、予め防水シート１２と防水シート１２の上から胴縁１３とが取り付けられている。
【００７１】
また、防水シート１２は、同図に示すように、壁パネル１１の室外側における面材１１ｂの上においてその側端部が出隅３１ａに位置するようにして、壁パネル１１に取り付けられている。
【００７２】
さらに、胴縁１３は、所謂横胴縁１３であって、防水シート１２の上において縦方向に所定間隔で、かつ、その端部が外装材付き壁パネル１の防水シート１２の側端部から引っ込むようにして、壁パネル１１に取り付けられている（同図参照）。
【００７３】
（３）外装材付き壁パネル１と胴縁付き壁パネル２の接合構造
この実施の形態３に係る外装材付き壁パネル１と胴縁付き壁パネル２の接合構造としては、両防水シート１２の取り合いにおいては、外装材付き壁パネル１の防水シート１２の裏面と胴縁付き壁パネル２の防水シート１２の表面が両面防水テープ１５により互いに接着されている（同図参照）。
【００７４】
これにより、両面防水テープ１５で接着した箇所が剥がれるような不測の事態を回避することが可能となっており、その結果、さらに優れた防水性能を有する建物が得られることになっている。
【００７５】
なお、同図に示すように、胴縁１３の端部と出隅３１ａとの間において、胴縁付き壁パネル２及び外装材付き壁パネル１に対してこれらを互いに接合するための接合板１７が取り付けられている。そして、胴縁１３の端部と出隅３１ａとの間における防水シート１２は、接合板１７の上においてその側端部が出隅３１ａに位置するようにして、壁パネル１１に取り付けられている。
【００７６】
すなわち、このような壁パネルの接合構造によれば、外装材付き壁パネル１の防水シート１２を胴縁付き壁パネル２の防水シート１２側に延出させて、両防水シート１２を両面防水テープ１５で互いに接着することとしているので、予め工場製作した外装材付き壁パネル１と胴縁付き壁パネル２を組み立てて現場で建物を構築する場合において、簡易かつ確実に防水することが可能となっている。したがって、優れた防水性能を有する建物が短期間で安価に得られることになっている。
【００７７】
【発明の効果】
本発明に係る壁パネルの接合構造によれば、水平接合部、入隅部又は出隅部において、簡易かつ確実に防水できることになり、優れた防水性能を有する建物が短期間で安価に得られることになる。
【００７８】
また、水平接合部において、胴縁付き壁パネルの胴縁の側端部とその壁パネルの側端部の間において、縦胴縁を互いに接着されている両防水シートの少なくともいずれか一方の上からその壁パネルに取り付けることとすれば、両面防水テープで接着した箇所が剥がれるような不測の事態を回避することが可能となり、さらに優れた防水性能を有する建物が得られることになる。
【００７９】
さらに、入隅部において、胴縁付き壁パネルの胴縁の側端部と入隅の間において、縦胴縁を互いに接着されている両防水シートの少なくともいずれか一方の上からその壁パネルに取り付けることとすれば、両面防水テープで接着した箇所が剥がれるような不測の事態を回避することが可能となり、さらに優れた防水性能を有する建物が得られることになる。
【図面の簡単な説明】
【図１】本発明の実施の形態１に係る壁パネルの接合構造の全体構成を示す断面図である。
【図２】本発明の実施の形態２に係る壁パネルの接合構造の全体構成を示す断面図である。
【図３】本発明の実施の形態３に係る壁パネルの接合構造の全体構成を示す断面図である。
【符号の説明】
１  外装材付き壁パネル
２  胴縁付き壁パネル
１１  壁パネル
１１ａ  框材
１１ｂ  面材
１２  防水シート
１３  胴縁
１４  外装材
１５  両面防水テープ
１６  縦胴縁
１７  接合板
１８  ボルト及びナット
２１  入隅部
２１ａ  入隅
３１  出隅部
３１ａ  出隅
【図１】
2004263381.tif 000003
【図２】
2004263381.tif 000004
【図３】
2004263381.tif 000005